(57)【要約】【課題】シグナリングのさらなる向上を実現する。【解決手段】移動通信システムのための移動通信システムエンティティは少なくとも１つのユーザ機器にサービスを行う少なくとも１つのエンティティを含む。移動通信システムエンティティは少なくとも１つのユーザ機器が要求し得るオンデマンドシステム情報のためのスケジューリング情報を送信するように構成された回路を備える。【選択図】図１
2020500471.tif 000002
【特許請求の範囲】
【請求項１】
少なくとも１つのユーザ機器にサービスを行う少なくとも１つのエンティティを含む移動通信システムのための移動通信システムエンティティであって、
前記少なくとも１つのユーザ機器が要求し得るオンデマンドシステム情報のためのスケジューリング情報を送信するように構成された回路
を備える
移動通信システムエンティティ。
【請求項２】
前記回路はさらに、所定の周期で前記スケジューリング情報を送信するように構成された、
請求項１に記載の移動通信システムエンティティ。
【請求項３】
前記回路はさらに、所定の期間において前記スケジューリング情報を送信するように構成された、
請求項１に記載の移動通信システムエンティティ。
【請求項４】
前記回路はさらに、所定の送信時間に前記スケジューリング情報を送信するように構成された、
請求項１に記載の移動通信システムエンティティ。
【請求項５】
前記回路はさらに、システム情報に含まれる前記スケジューリング情報を送信するように構成された、
請求項１に記載の移動通信システムエンティティ。
【請求項６】
前記スケジューリング情報は前記システム情報のマスタ情報ブロックに含まれる、
請求項５に記載の移動通信システムエンティティ。
【請求項７】
前記スケジューリング情報は前記システム情報のシステム情報ブロックに含まれる、
請求項５に記載の移動通信システムエンティティ。
【請求項８】
前記スケジューリング情報は少なくとも第１のパートと第２のパートに分かれている、
請求項１に記載の移動通信システムエンティティ。
【請求項９】
前記第１のパートは、前記第２のパートの送信のタイムスケジュールに関する情報を含む、
請求項８に記載の移動通信システムエンティティ。
【請求項１０】
前記第１のパートはシステム情報のマスタ情報ブロックに含まれ、前記第２のパートは前記システム情報のシステム情報ブロックに含まれる、
請求項８に記載の移動通信システムエンティティ。
【請求項１１】
前記第１のパートは、システム情報ブロック情報の送信のタイムスケジュールを示す、
請求項１０に記載の移動通信システムエンティティ。
【請求項１２】
前記第１のパートは、前記システム情報ブロックのビットのタイムスケジュールを示す、
請求項１０に記載の移動通信システムエンティティ。
【請求項１３】
前記回路はさらに、前記システム情報がすべてのユーザ機器宛か、特定のユーザ機器宛かを示す情報を送信するように構成された、
請求項１に記載の移動通信システムエンティティ。
【請求項１４】
前記回路はさらに、システム情報ブロックの変化を示す情報を送信するように構成された、
請求項１に記載の移動通信システムエンティティ。
【請求項１５】
前記情報はマスタ情報ブロックに含まれる、
請求項１４に記載の移動通信システムエンティティ。
【請求項１６】
前記回路はさらに、前記システム情報ブロックの変化がすべてのユーザ機器宛か、特定のユーザ機器宛かを示す情報を送信するように構成された、
請求項１４に記載の移動通信システムエンティティ。
【請求項１７】
前記スケジューリング情報はシステム情報ブロックにおいて送信される、
請求項１に記載の移動通信システムエンティティ。
【請求項１８】
少なくとも１つのユーザ機器にサービスを行う少なくとも１つのエンティティを含む移動通信システムのための移動通信システムエンティティであって、
ユーザ機器からのシステム情報の要求に応じて、前記ユーザ機器にブロードキャスト情報を受信するよう指示する指示情報を送信するように構成された回路
を備える
移動通信システムエンティティ。
【請求項１９】
前記ブロードキャスト情報はスケジューリング情報を含む、
請求項１８に記載の移動通信システムエンティティ。
【請求項２０】
前記指示情報は、前記ユーザ機器の接続状態に基づき送信される、
請求項１８に記載の移動通信システムエンティティ。
【請求項２１】
前記ユーザ機器が無線リソース制御接続状態のとき、前記指示情報が無線リソース制御メッセージで送信される、
請求項２０に記載の移動通信システムエンティティ。
【請求項２２】
前記ユーザ機器が無線リソース制御不能状態または待機状態にあるとき、前記指示情報はランダムアクセスチャネルメッセージで送信される、
請求項２０に記載の移動通信システムエンティティ。
【請求項２３】
少なくとも１つのユーザ機器にサービスを行う少なくとも１つのエンティティを含む移動通信システムのための移動通信システムエンティティであって、
ユーザ機器からのシステム情報の要求に応じて、前記ユーザ機器にスケジューリング情報を送信するように構成された回路
を備える
移動通信システムエンティティ。
【請求項２４】
少なくとも１つのユーザ機器にサービスを行う少なくとも１つのエンティティを含む移動通信システムのための移動通信システムエンティティであって、
ユーザ機器からのシステム情報の要求に応じて、前記ユーザ機器にスケジューリング情報を受信するよう指示する指示情報をブロードキャストチャネルを通して送信するように構成された回路
を備える
移動通信システムエンティティ。
【請求項２５】
前記ブロードキャストチャネルは無線アクセスネットワークエリアに基づきアドレス指定されるか、前記ブロードキャストチャネルはマスタ情報ブロックにおいてアドレス指定される
請求項２４に記載の移動通信システムエンティティ。
【請求項２６】
前記回路はさらに、前記少なくとも１つのユーザ機器に前記スケジューリング情報を読み取るように指示する情報を送信するように構成された、
請求項２４に記載の移動通信システムエンティティ。
【請求項２７】
少なくとも１つのユーザ機器にサービスを行う少なくとも１つのエンティティを含む移動通信システムのための移動通信システムエンティティであって、
前記少なくとも１つのユーザ機器からのシステム情報要求を受信し、チャネル品質、通信可能範囲、およびブロック誤り率情報のうちの少なくとも１つを受信し、
冗長レベル、送信周期、送信開始点のうちの少なくとも１つを調節し、前記少なくとも１つのユーザ機器のためにビームフォーミングを用いてブーストを行うように構成された回路
を備える
移動通信システムエンティティ。
【請求項２８】
少なくとも１つのユーザ機器にサービスを行う少なくとも１つのエンティティを含む移動通信システムアンカーエンティティであって、
前記少なくとも１つのユーザ機器によって要求されることができ、前記少なくとも１つのユーザ機器にサービスを行う前記少なくとも１つのエンティティによって送信されるオンデマンドシステム情報のためのスケジューリング情報を送信するように構成された回路
を備える
移動通信システムアンカーエンティティ。
【請求項２９】
前記回路はさらに、所定の周期で前記スケジューリング情報を送信するように構成された、
請求項２８に記載の移動通信システムアンカーエンティティ。
【請求項３０】
前記回路はさらに、所定の期間において前記スケジューリング情報を送信するように構成された、
請求項２８に記載の移動通信システムアンカーエンティティ。
【請求項３１】
前記回路はさらに、所定の送信時間に前記スケジューリング情報を送信するように構成された、
請求項２８に記載の移動通信システムアンカーエンティティ。
【請求項３２】
前記回路はさらに、前記少なくとも１つのユーザ機器にサービスを行う前記少なくとも１つのエンティティのための前記スケジューリング情報がシステム情報に含まれることを示す指示情報を送信するように構成された、
請求項２８に記載の移動通信システムアンカーエンティティ。
【請求項３３】
前記指示情報は前記システム情報のマスタ情報ブロックに含まれる、
請求項３２に記載の移動通信システムアンカーエンティティ。
【請求項３４】
前記スケジューリング情報は前記システム情報のシステム情報ブロックに含まれる、
請求項３２に記載の移動通信システムアンカーエンティティ。
【請求項３５】
前記スケジューリング情報は少なくとも第１のパートと第２のパートに分かれている、
請求項２８に記載の移動通信システムアンカーエンティティ。
【請求項３６】
前記第１のパートは、前記第２のパートの送信のタイムスケジュールに関する情報を含む、
請求項３５に記載の移動通信システムアンカーエンティティ。
【請求項３７】
前記第１のパートはシステム情報のマスタ情報ブロックに含まれ、前記第２のパートは前記システム情報のシステム情報ブロックに含まれる、
請求項３５に記載の移動通信システムアンカーエンティティ。
【請求項３８】
前記第１のパートは、システム情報ブロック情報の送信のタイムスケジュールを示す、
請求項３７に記載の移動通信システムアンカーエンティティ。
【請求項３９】
前記第１のパートは、前記システム情報ブロックのビットのタイムスケジュールを示す、
請求項３７に記載の移動通信システムアンカーエンティティ。
【請求項４０】
前記スケジューリング情報は前記アンカーエンティティのブロードキャストチャネルを通して送信され、前記ブロードキャストチャネルは所定の識別子を有する、
請求項２８に記載の移動通信システムアンカーエンティティ。
【請求項４１】
前記所定の識別子はシステム情報エリア識別子である、
請求項４０に記載の移動通信システムアンカーエンティティ。
【請求項４２】
前記システム情報エリア内のすべてのユーザ機器は共通の識別子を有し、前記スケジューリング情報は、前記共通の識別子を有する前記ユーザ機器宛となる、
請求項４１に記載の移動通信システムアンカーエンティティ。
【発明の詳細な説明】
【技術分野】
【０００１】
本開示は概して、移動通信システムエンティティに関する。
【背景技術】
【０００２】
移動通信システムでは、例えば第３世代（「３Ｇ」）、第４世代（「４Ｇ」）、最新では第５世代（「５Ｇ」）といったいくつかのジェネレーションが知られている。第３世代（「３Ｇ」）はＩＭＴ−２０００（International Mobile Telecommunications 2000）規格に基づく。第４世代（「４Ｇ」）はＩＭＴ−Ａｄｖａｎｃｅｄ（International Mobile Telecommunications-Advanced）規格に規定される機能を提供する。第５世代（「５Ｇ」）は現在開発中であり、２０２０年に実用予定である。
【０００３】
５Ｇの要件を提供する候補としては、いわゆる「ＬＴＥ」（Long Term Evolution）がある。ＬＴＥはすでに第４世代移動通信システムで使用されている無線通信技術であり、携帯電話やデータ端末の高速データ通信を可能にする。５Ｇの要件を満たす他の候補としては、いわゆるNew Radio Access Technology System（ＮＲ）が挙げられる。ＬＴＥが従来の世代の移動通信技術に基づいているのと同様に、ＮＲもＬＴＥ技術に基づくことができる。
【０００４】
ＬＴＥは第２世代（「２Ｇ」）のＧＳＭ／ＥＤＧＥ（「Global System for Mobile Communications」／「Enhanced Data rates for GSM Evolution」。ＥＧＰＲＳとも呼ぶ）および第３世代（「３Ｇ」）ネットワーク技術のＵＭＴＳ／ＨＳＰＡ（「Universal Mobile Telecommunications System」／「High Speed Packet Access」）に基づく。
【０００５】
ＬＴＥは３ＧＰＰ（「3rd Generation Partnership Project」）によって標準化されている。発展規格としてＬＴＥ−Ａ（LTE Advanced）がある。ＬＴＥ−Ａも３ＧＰＰによって標準化されており、ＬＴＥに基づいてより速いデータ転送速度を可能にする。
【０００６】
将来的には３ＧＰＰはさらにＬＴＥ−Ａを発展させ、５Ｇの技術要件を満たすようになる予定である。
【０００７】
５ＧシステムがそれぞれＬＴＥまたはＬＴＥ−Ａに基づくため、５Ｇ技術の詳細な条件は基本的に、すでにＬＴＥおよびＬＴＥ−Ａ規格のドキュメンテーションに規定されている特徴や方法によって対応される。
【０００８】
５Ｇ技術は、ＮＲにも基づいてもよく、いわゆる「仮想セル」や「ローカルセル」等のコンセプトを可能にする。このコンセプトにおいては、セルはユーザ機器（「ＵＥ」）によってサービスされる。ユーザ機器の例としては、移動通信インターフェースを含む携帯電話、コンピュータ、タブレット、タブレットＰＣ等、又は移動通信インターフェースを有するホットスポットデバイス等の、例えばＬＴＥ（−Ａ）を介して移動通信を行うことができるその他のデバイスがある。つまり、ＵＥはＵＥ間の中間ノードとして、および／または仮想セルまたはローカルセルおよび間接ネットワークの近傍にて他のＵＥ間の間接ネットワーク接続を確立するための中間ノードとして動的に動作する。ＵＥの中間ノード機能は「仮想化」によっても行われ得る。仮想セルやローカルセルは無許可、共有認可、または認可の帯域においてＵＥと通信を行うことができ、好ましくは認可の帯域においてネットワークへのバックホールを行う。
【０００９】
制御プレーンとユーザプレーンは、ＬＴＥ用のＩＰマルチメディアシステム（ＩＭＳ）の導入によって論理的に分離される。また、５ＧやＮＲのソリューションの候補として、制御プレーンとユーザプレーンが物理的にも分離されることが提案されている。サービスの持続性を維持するため、安定性と広い通信可能範囲（カバレッジ）が基本的に制御プレーンの必要要件となっているため、マクロやアンカーエンティティ（例えば基地局やEvolved Node B）が制御プレーンのリンクを提供しなければならない。一方、ユーザプレーンの主要機能は、セル容量を向上するための効率的なスペクトルの使用である。しかし、ユーザプレーンの要件は特定のユースケースやＵＥの性能やカテゴリに強く依存するため、「ネットワークスライシング」等の５Ｇのコンセプトを考慮したＵＥの性能やカテゴリ、各ユースケース等に基づいた各種の受信方式、送信方式、ルーティング方式が考えられる。
【００１０】
５Ｇ技術において、ＵＥや他のＮＲ局は仮想セル、ローカルセル、ミクロまたはピコセル、送受信点（ＴＲＰ）等としての機能を果たす責任があると想定される。例えば、これらは通常、基地局や、いわゆるＬＴＥでのｅＮｏｄｅＢ（Evolved Node B）で行われる（ｅＮｏｄｅＢはＬＴＥのｅｖｏｌｖｅｄ  ＵＴＲＡ（UMTS Terrestrial Radio Access）におけるエレメントである）。このような機能は仮想セルや他のＮＲ局、上記のエンティティとしてＵＥにおいて実行されると想定される。例えば、これらの機能は無線リソース管理、無線リソース制御（ＲＲＣ）、接続制御等である。
【００１１】
５Ｇ技術のためのシグナリング技術は現存するが、一般的にシグナリングのさらなる向上が求められている。
【発明の概要】
【課題を解決するための手段】
【００１２】
第１の側面によると、本開示は少なくとも１つのユーザ機器にサービスを行う少なくとも１つのエンティティを含む移動通信システムのための移動通信システムエンティティであって、上記少なくとも１つのユーザ機器が要求し得るオンデマンドシステム情報のためのスケジューリング情報を送信するように構成された回路を備える移動通信システムエンティティを提供する。
【００１３】
第２の側面によると、本開示は少なくとも１つのユーザ機器にサービスを行う少なくとも１つのエンティティを含む移動通信システムのための移動通信システムエンティティであって、ユーザ機器からのシステム情報の要求に応じて、上記ユーザ機器にブロードキャスト情報を受信するよう指示する指示情報を送信するように構成された回路を備える移動通信システムエンティティを提供する。
【００１４】
第３の側面によると、本開示は少なくとも１つのユーザ機器にサービスを行う少なくとも１つのエンティティを含む移動通信システムのための移動通信システムエンティティであって、ユーザ機器からのシステム情報の要求に応じて、上記ユーザ機器にスケジューリング情報を送信するように構成された回路を備える移動通信システムエンティティを提供する。
【００１５】
第４の側面によると、本開示は少なくとも１つのユーザ機器にサービスを行う少なくとも１つのエンティティを含む移動通信システムのための移動通信システムエンティティであって、ユーザ機器からのシステム情報の要求に応じて、上記ユーザ機器にスケジューリング情報を受信するよう指示する指示情報をブロードキャストチャネルを通して送信するように構成された回路を備える移動通信システムエンティティを提供する。
【００１６】
第５の側面によると、本開示は少なくとも１つのユーザ機器にサービスを行う少なくとも１つのエンティティを含む移動通信システムのための移動通信システムエンティティであって、上記少なくとも１つのユーザ機器からのシステム情報要求を受信し、チャネル品質、通信可能範囲、およびブロック誤り率情報のうちの少なくとも１つを受信し、冗長レベル、送信周期、送信開始点のうちの少なくとも１つを調節し、上記少なくとも１つのユーザ機器のためにビームフォーミングを用いてブーストを行うように構成された回路を備える移動通信システムエンティティを提供する。
【００１７】
第６の側面によると、本開示は少なくとも１つのユーザ機器にサービスを行う少なくとも１つのエンティティを含む移動通信システムアンカーエンティティであって、上記少なくとも１つのユーザ機器によって要求されることができ、上記少なくとも１つのユーザ機器にサービスを行う上記少なくとも１つのエンティティによって送信されるオンデマンドシステム情報のためのスケジューリング情報を送信するように構成された回路を備えるアンカーエンティティを提供する。
【００１８】
さらなる態様は、従属クレーム、以下の説明および図面に記載されている。
【図面の簡単な説明】
【００１９】
以下に添付図面を参照しながら、本開示の実施形態について説明する。
【図１】ＬＴＥセルとＮＥセルを含む無線アクセスネットワークの図である。
【図２】システム情報とスケジューリング情報の伝送方式の図である。
【図３】システム情報とスケジューリング情報の伝送方式の図である。
【図４】システム情報とスケジューリング情報の伝送方式の図である。
【図５】システム情報とスケジューリング情報の伝送方式の図である。
【図６】システム情報とスケジューリング情報の伝送方式の図である。
【図７】システム情報とスケジューリング情報の伝送方式の図である。
【図８】システム情報とスケジューリング情報の伝送方式の図である。
【図９】システム情報とスケジューリング情報の伝送方式の図である。
【図１０】システム情報とスケジューリング情報の伝送方式の図である。
【図１１】本明細書で記載するエンティティやユーザ機器を構成するために用いられ得る汎用コンピュータを概略的に示す図である。
【発明を実施するための形態】
【００２０】
図１を参照して実施形態についての詳細な説明を行う前に、一般的な説明を行う。
【００２１】
冒頭で述べたように、移動通信システムでは、例えば第３世代（「３Ｇ」）、第４世代（「４Ｇ」）、第５世代（「５Ｇ」）といったいくつかのジェネレーションが一般的に知られている。第３世代（「３Ｇ」）はＩＭＴ−２０００（International Mobile Telecommunications 2000）規格に基づく。第４世代（「４Ｇ」）はＩＭＴ−Ａｄｖａｎｃｅｄ（International Mobile Telecommunications-Advanced）規格に規定される機能を提供する。第５世代（「５Ｇ」）は現在開発中であり、２０２０年に実用予定である。
【００２２】
５Ｇの要件を提供する候補としては、いわゆる「ＬＴＥ」（Long Term Evolution）がある。ＬＴＥはすでに第４世代移動通信システムで使用されている無線通信技術であり、携帯電話やデータ端末の高速データ通信を可能にする。５Ｇの要件を満たす他の候補としては、いわゆるNew Radio Access Technology System（ＮＲ）が挙げられる。ＬＴＥが従来の世代の移動通信技術に基づいているのと同様に、ＮＲもＬＴＥ技術に基づくことができる。
【００２３】
ＬＴＥは第２世代（「２Ｇ」）のＧＳＭ／ＥＤＧＥ（「Global System for Mobile Communications」／「Enhanced Data rates for GSM Evolution」。ＥＧＰＲＳとも呼ぶ）および第３世代（「３Ｇ」）ネットワーク技術のＵＭＴＳ／ＨＳＰＡ（「Universal Mobile Telecommunications System」／「High Speed Packet Access」）に基づく。
【００２４】
ＬＴＥは３ＧＰＰ（「3rd Generation Partnership Project」）によって標準化されている。発展規格としてＬＴＥ−Ａ（LTE Advanced）がある。ＬＴＥ−Ａも３ＧＰＰによって標準化されており、ＬＴＥに基づいてより速いデータ転送速度を可能にする。
【００２５】
将来的には３ＧＰＰはさらにＬＴＥ−Ａを発展させ、５Ｇの技術要件を満たすようになる予定である。
【００２６】
５ＧシステムがそれぞれＬＴＥまたはＬＴＥ−Ａに基づくため、５Ｇ技術の詳細な条件は基本的に、すでにＬＴＥおよびＬＴＥ−Ａ規格のドキュメンテーションに規定されている特徴や方法によって対応される。
【００２７】
５Ｇ技術は、ＮＲにも基づいてもよく、いわゆる「仮想セル」や「ローカルセル」、「分散ユニット」、「ＴＲＰ（送受信点）」等のコンセプトを可能にする。このコンセプトにおいては、セルはユーザ機器（「ＵＥ」）によってサービスされる。ユーザ機器の例としては、移動通信インターフェースを含む携帯電話、コンピュータ、タブレット、タブレットＰＣ等、または移動通信インターフェースを有するホットスポットデバイス等の、例えばＬＴＥ（−Ａ）を介して移動通信を行うことができるその他のデバイスがある。つまり、ＵＥはＵＥ間の中間ノードとして、および／または仮想セルまたはローカルセルおよび間接ネットワークの近傍にて他のＵＥ間の間接ネットワーク接続を確立するための中間ノードとして動的に動作する。ＵＥの中間ノード機能は「仮想化」によっても行われ得る。仮想セルやローカルセル、「分散ユニット」、「ＴＲＰ（送受信点）」は無許可、共有認可、または認可の帯域においてＵＥと通信を行うことができ、好ましくは認可の帯域においてネットワークへのバックホールを行う。
【００２８】
制御プレーンとユーザプレーンは、ＬＴＥ用のＩＰマルチメディアシステム（ＩＭＳ）の導入によって論理的に分離される。また、５ＧやＮＲのソリューション候補として、制御プレーンとユーザプレーンが物理的にも分離されることが提案されている。サービスの持続性を維持するため、安定性と広い通信可能範囲（カバレッジ）が基本的に制御プレーンの必要要件となっているため、マクロやアンカーエンティティ（例えば基地局やEvolved Node B）が制御プレーンのリンクを提供しなければならない。一方、ユーザプレーンの主要機能は、セル容量を向上するための効率的なスペクトルの使用である。しかし、ユーザプレーンの要件は特定のユースケースやＵＥの性能やカテゴリに強く依存するため、「ネットワークスライシング」等の５Ｇのコンセプトを考慮したＵＥの性能やカテゴリ、各ユースケース等に基づいた各種の受信方式、送信方式、ルーティング方式が考えられる。
【００２９】
５Ｇ技術において、ＵＥや他のＮＲ局は仮想セル、ローカルセル、ミクロまたはピコセル、送受信点（ＴＲＰ）等としての機能を果たす必要があると想定される。例えば、これらは通常、基地局や、いわゆるＬＴＥでのｅＮｏｄｅＢ（Evolved Node B）で行われる（ｅＮｏｄｅＢはＬＴＥのｅｖｏｌｖｅｄ  ＵＴＲＡ（UMTS Terrestrial Radio Access）におけるエレメントである）。このような機能は仮想セルや他のＮＲ局、上記のエンティティとしてＵＥにおいて実行されると想定される。例えば、これらの機能は無線リソース管理、無線リソース制御（ＲＲＣ）、接続制御等である。
【００３０】
上記のように、５Ｇのために開発された、Ｎｅｗ  Ｒａｄｉｏ  （ＮＲ）と呼ばれるｎｅｗ  Ｒａｄｉｏ  Ａｃｃｅｓｓ  Ｔｅｃｈｎｏｌｏｇｙ  （ＲＡＴ）はいくつかの実施例においてはローカルセルおよび仮想セルに用いられてもよいが、ＮＲ  ｅＮｏｄｅＢによって供給されるスモールセルやＴＲＰも存在してもよい。
【００３１】
３ＧＰＰドキュメントのＲ２−１６４８０９"Ｓｙｓｔｅｍ  Ｉｎｆｏｒｍａｔｉｏｎ  Ａｒｅａ"、３ＧＰＰ  ＴＳＧ  ＲＡＮ  ＷＧ"  Ｍｅｅｔｉｎｇ  ＃９５，  Ｇｏｔｈｅｎｂｕｒｇ，  Ｓｗｅｄｅｎ，  ２２−２６  Ａｕｇｕｓｔ  ２０１６において、ＮＲシステム情報強化研究のための４つのシナリオが記載されている。さらに、システム情報エリアのコンセプトも導入されている。
【００３２】
いくつかの実施形態において、システム情報エリア（ＳＩＡ）とは、ＳＩＡ内のすべてのＴＲＰ／ビームが少なくともいくつかの必須の共通システム情報（ＳＩ）と、場合によっては、ブロードキャスト送信される必須ではないＳＩの一部によって構成されるエリアであり得る。いくつかの実施形態において、システムフレーム番号を含む場合は、同じＳＩＡ中のすべてのＴＲＰが同期される。ブロードキャスト送信は各ＴＲＰによって独立して行われることができ（同期されている場合は単一周波数ネットワーク（ＳＦＮ）送信）、および／またはオバーレイノード（例えばＬＦマクロ）、ローカルＴＲＰブロードキャスト送信と通信可能範囲オーバーレイノードの組み合わせを介して行うことができる（例えば、各ＴＲＰおよびオーバーレイノードによってブロードキャスト送信された必須ではないＳＩ＋他の必須の共通ＳＩ（ＳＩ−Ｘ）によって局所的にブロードキャスト送信された異なるＳＩ−Ｙ）（Ｒ２−１６４８０９において、ＳＩ−Ｘは早期に取得されることができる複数のＴＲＰ／ビームを潜在的に含むエリアにわたる共通パートとして定義される。また、ＳＩ−ＹはＲＡＣＨを行う前にのみ取得され得るＴＲＰ／ビームに固有のパートとして定義される）。
【００３３】
代替的に又は追加的に、ＳＩＡは、ＳＩＡ通信可能範囲にわたってオーバーレイノード（例えばＬＦマクロ）によって一般的にブロードキャスト送信されたＳＩＡにおいて異なるＴＲＰによって使用される潜在的に異なる必須のＳＩ群であってもよい。
【００３４】
３ＧＰＰ  ＲＡＮ２＃９５ｂのミーティングにおいて、ＮＲシステム情報に関する以下の合意がなされ、これはいくつかの実施形態においても用いられている。
・オンデマンドシステム情報（ＳＩ）のために、他のＳＩは構成可能な周期性（ＬＴＥにおけるＳＩ期間と同等）で所定の期間においてブロードキャスト送信され得る。
・待機状態かつ「新しい状態」のＵＥによる他のＳＩの要求は、状態遷移なしで行われなければならない。
・ＵＥによって要求されるＳＩに関して、ＵＥは、ＳＩがセルにおいて使用可能かどうか、および、ＳＩがブロードキャスト送信されるかどうかを、他のＳＩ要求を送信する前に（例えば、最小限のＳＩを確認することによって）認識しなければならない。
・セルへの初期アクセスのための基本情報に加えて、最小限のＳＩはブロードキャスト送信されたＳＩのためのスケジューリング情報を含まなければならない。
・ＰＷＳが更なる増強を必要とするかをさらに検討するためのＰＷＳ（Public Warning System）情報は他のＳＩとして分類することができる。
【００３５】
さらに、ＵＥがキャンプ可能なすべてのセルにおいて、最小限のＳＩが周期的にブロードキャスト送信されるかどうか、システムがＵＥのキャンプが不可能なセルを含むかどうかを検討する。いくつかの実施形態はこの事項に関する。
【００３６】
いくつかの実施形態は以下の事項のうち、少なくともいくつかについて取り組む。つまり、アンカーＳＩエンティティを利用する利用環境およびアンカーＳＩエンティティを利用しない利用環境について考慮し、例えばオンデマンドＳＩブロードキャスト情報をどのように通知するか、スケジューリング情報をどのように設計するかについて取り組む。
【００３７】
いくつかの実施形態において、スケジューリング情報の送信のため以下の側面について述べる。
【００３８】
いくつかの実施形態では、スケジューリング情報をブロードキャスト送信するためのソリューションを提供する。例えば、２ステージ（またはマルチステージ）スケジューリング情報送信等の、スケジューリング情報の分離送信を用いる実施形態のソリューションを提供する。これは、制御シグナリングのオーバーヘッドとスケジューリングの柔軟性の間のトレードオフについて考慮する。いくつかの実施形態は、ＵＥのスケジューリング情報の見逃しについてのソリューションを提供する。いくつかの実施形態は、例えばｅＮｏｄｅＢ（ＬＴＥ、ＮＲ等）等の、アンカーＳＩエンティティが使用されるネットワークや、アンカーＳＩエンティティが使用されないネットワークのためのソリューションを提供する。詳細は後述する。
【００３９】
いくつかの実施形態において、システム情報エリアは１以上のエンティティから成る（例えば、ＬＴＥおよび／またはＮＲ  ｅＮｏｄｅＢ、ＬＴＥ／ＮＲセントラルユニット（ＣＵ）、ＬＴＥ／ＮＲ分散ユニット（ＤＵ）、ＬＴＥ／ＮＲ送受信点（ＴＲＰ）、等）。このようなシステム情報エリア内では、システム情報（または、他のＳＩ（最小限のＳＩ以外にあるすべてのもの）を取得するための情報、セルアクセス情報、セル選択情報等の基本情報のみが含まれ得る最小限のシステム情報等）は複数の異なるエンティティ間で同一か、または異なっている。最小限のシステム情報は、さらにシステム情報エリア内のエンティティに関する情報を含み得る。この情報は、例えば、同じシステム情報エリア内のエンティティの識別番号等を含むリストによって提供されることができる。
【００４０】
いくつかの実施形態において、各システム情報エリアは固有の識別子を有し、この識別子は、新しいシステム情報エリアに移動するかどうかを判断するためにＵＥによって用いられる。いくつかの実施形態において、システム情報エリアは、アンカーエンティティまたはアンカーセル（または２以上のアンカーエンティティ／セル）が提供されるときに導入される。システム情報エリアとは、１以上のエンティティの集合であり得る。このエンティティ間で、他のエンティティのシステム情報および／またはスケジューリング情報を収集する１以上のアンカーセル（アンカーエンティティ）が提供され、これらは他のエンティティの代わりに、ＵＥに向けて収集したシステムおよび／またはスケジューリング情報を送信する。詳細は後述する。
【００４１】
概して、本開示においては、上記で述べたように、基地局、ｅＮｏｄｅＢ等のエンティティはＬＴＥ（ＬＴＥ−Ａ）の原理、および／またはＮＲ  ＲＡＴに基づく。エンティティはＬＴＥの公知のｅＮｏｄｅＢに基づき得る。あるいは例えば、上述のＮＲ  ｅＮｏｄｅＢに基づき得る。
【００４２】
ここで記載するユーザ機器とは、例えば移動通信インターフェースを含む携帯電話、スマートフォン、コンピュータ、タブレット、タブレットＰＣ等、または移動通信インターフェースを有するホットスポットデバイス等の、例えばＬＴＥやＮＲを介して移動通信を行うことができるその他のデバイスである。
【００４３】
ここで記載する回路とは、プロセッサ、マイクロプロセッサ、専用回路、メモリ、ストレージ、ラジオインターフェース、無線インターフェース、ネットワークインターフェース等のうちの少なくとも１つを含み得る。例えば、ｅＮｏｄｅＢ等の基地局に含まれる典型的な電子部品であり得る。
【００４４】
一般的に知られているように、（アンカー）エンティティはそれぞれ（アンカー）セルを提供してもよい。本明細書で述べる移動通信システムは、ＬＴＥおよび／またはＮＥに基づいてもよい。特に、本明細書で述べる移動通信システムはＬＴＥとＮＲの融合に基づいてもよい。
【００４５】
いくつかの実施形態においては、例えば、スケジューリング情報の送信の際にアンカーエンティティは使用されない。これらの実施形態は、少なくとも１つのユーザ機器にサービスを行う少なくとも１つのエンティティを含む移動通信システムのための移動通信システムエンティティであって、少なくとも１つのユーザ機器が要求し得るオンデマンドシステム情報のためのスケジューリング情報を送信するように構成された回路を備える移動通信システムエンティティに関する。本明細書で述べる「送信」とは、ブロードキャスト送信および／またはユニキャスト送信を含み得る。
【００４６】
なお、本開示で述べる実施形態において、本開示のスケジューリング情報はブロードキャスト送信／ユニキャスト送信され得る。
【００４７】
上記のように、オンデマンドシステム情報は、最小限のシステム情報に含まれない情報であってもよい。
【００４８】
従って、いくつかの実施形態において、オンデマンドシステム情報のためのスケジューリング情報は、ＮＲおよび／またはＬＴＥ  ｅＮｏｄｅＢ等の、オンデマンドシステム情報の送信を担当するエンティティまたはすべてのエンティティによってブロードキャスト送信されてもよい。
【００４９】
上記回路は、さらに所定の周期、所定の期間、および／または所定の送信時間でスケジューリング情報を送信するように構成されてもよい。
【００５０】
上記回路は、さらにシステム情報に含まれるスケジューリング情報を送信するように構成されてもよい。例えば、スケジューリング情報はシステム情報のマスタ情報ブロック（ＭＩＢ）に含まれ得る。スケジューリング情報はシステム情報のシステム情報ブロック（ＳＩＢ）に含まれ得る。
【００５１】
一般的に、システム情報とは制御情報の一種である。現在のＬＴＥにおいて、システム情報はいわゆるシステム情報ブロック（ＳＩＢ）においてブロードキャスト送信される。例えば、システム情報ブロック（ＳＩＢ）とは、ＭＩＢ、ＳＩＢ１、ＳＩＢ２であり得る。
マスタ情報ブロック（ＭＩＢ）：ＬＴＥセルの物理層情報。例えば、送信帯域構成、システムフレーム番号等。
ＳＩＢ１：ＵＥのＬＴＥセルへのアクセスが許可されているかどうかに関する情報であって、他のＳＩＢのスケジューリングを定義し、セルＩＤやＳＩＢマッピング情報等を運ぶ。
ＳＩＢ２：共通チャネルおよび共有チャネル情報。
【００５２】
例えば、一般的に知られているＬＴＥのＳＩＢ４からＳＩＢ１９等の他のブロックも存在する。
【００５３】
従って、同様のシステム情報構造がＬＴＥやＮＲにも適用されると想定される。
【００５４】
いくつかの実施形態において、スケジューリング情報は少なくとも第１のパートと第２のパートに分かれている。
【００５５】
第１のパートは、第２のパートの送信のタイムスケジュールに関する情報を含み得る。
【００５６】
第１のパートはシステム情報のマスタ情報ブロックに含まれ、第２のパートはシステム情報のシステム情報ブロックに含まれ得る。
【００５７】
第１のパートは、システム情報ブロック情報の送信のタイムスケジュールを示し得る。
【００５８】
したがって、いくつかの実施形態において、ＵＥはマスタ情報ブロック内の情報に基づいて、他のシステム情報が必要かどうか、スケジューリング情報の第２のパートの読み取りが必要かどうかを判断し得る。
【００５９】
第１のパートは、システム情報ブロックのビットのタイムスケジュールを示し得る。
【００６０】
他の例として、第１のパートは、例えばサービス固有のシステム情報ブロックグループ、セル選択／再選択システム情報ブロックグループ、移動システム情報ブロックグループ等のシステム情報ブロックのグループのビットのためのタイムスケジュールを示し得る。
【００６１】
上記回路は、さらにシステム情報がすべてのユーザ機器宛か、特定のユーザ機器宛かを示す情報を送信するように構成され得る。また、ここで、ＵＥはシステム情報が必要かどうか判断することができる。
【００６２】
上記回路は、さらにシステム情報ブロックの変化を示す情報を送信するように構成され得る。この情報は、マスタ情報ブロックに含まれ得る。
【００６３】
上記回路は、さらにシステム情報ブロックの変化がすべてのユーザ機器宛か、特定のユーザ機器宛かを示す情報を送信するように構成され得る。
【００６４】
スケジューリング情報はシステム情報ブロックにおいて送信され得る。
【００６５】
いくつかの実施形態は、少なくとも１つのユーザ機器にサービスを行う少なくとも１つのエンティティを含む移動通信システムのための移動通信システムエンティティであって、ユーザ機器からのシステム情報の要求に応じて、ユーザ機器にブロードキャスト情報を受信するよう指示する指示情報を送信するように構成された回路を備える移動通信システムエンティティに関する。
【００６６】
したがって、オンデマンドシステム情報を連続して要求する代わりに、ＵＥがシステム情報を受信するためのスケジューリング情報の受信を試みるということを保証することができる。ブロードキャスト情報はスケジューリング情報含み得る。
【００６７】
指示情報は、ユーザ機器の接続状態に基づいて送信され得る。例えば、ユーザ機器が無線リソース制御（ＲＲＣ）接続状態のとき、指示情報が無線リソース制御（ＲＲＣ）メッセージで送信される。ユーザ機器が無線リソース制御（ＲＲＣ）不能状態または無線リソース制御（ＲＲＣ）待機状態にあるとき、指示情報はランダムアクセスチャネル（ＲＡＣＨ）メッセージで送信され得る。
【００６８】
いくつかの実施形態は、少なくとも１つのユーザ機器にサービスを行う少なくとも１つのエンティティを含む移動通信システムのための移動通信システムエンティティであって、ユーザ機器からのシステム情報の要求に応じて、ユーザ機器にスケジューリング情報を送信するように構成された回路を備える移動通信システムエンティティに関する。
【００６９】
いくつかの実施形態は、少なくとも１つのユーザ機器にサービスを行う少なくとも１つのエンティティを含む移動通信システムのための移動通信システムエンティティであって、ユーザ機器からのシステム情報の要求に応じて、ユーザ機器にスケジューリング情報を受信するよう指示する指示情報をブロードキャストチャネルを通して送信するように構成された回路を備える移動通信システムエンティティに関する。
【００７０】
ブロードキャストチャネルは無線アクセスネットワーク（ＲＡＮ）エリアに基づきアドレス指定され得るか、ブロードキャストチャネルはマスタ情報ブロックにおいてアドレス指定され得る。
【００７１】
上記回路は、少なくとも１つのユーザ機器がスケジューリング情報を読み取るように指示する情報を送信するように構成され得る。
【００７２】
いくつかの実施形態は、少なくとも１つのユーザ機器にサービスを行う少なくとも１つのエンティティを含む移動通信システムのための移動通信システムエンティティであって、少なくとも１つのユーザ機器からのシステム情報要求を受信し、チャネル品質、通信可能範囲、およびブロック誤り率情報のうちの少なくとも１つを受信し、少なくとも１つのユーザ機器のために、ビームフォーミングを用いて、冗長レベル、送信周期、送信開始点のうちの少なくとも１つの調節をし、ブーストを行うように構成された回路を含む移動通信システムエンティティに関する。
【００７３】
いくつかの実施形態は、少なくとも１つのユーザ機器にサービスを行う少なくとも１つのエンティティを含む移動通信システムアンカーエンティティであって、少なくとも１つのユーザ機器によって要求され、少なくとも１つのユーザ機器にサービスを行う少なくとも１つのエンティティによって送信されるオンデマンドシステム情報のためのスケジューリング情報を送信するように構成された回路を含むアンカーエンティティに関する。
【００７４】
従って、いくつかの実施形態において、アンカーエンティティは例えば最小限のシステム情報を送信する。アンカーエンティティでない他のエンティティは、オンデマンドシステム情報を送信する。
【００７５】
上記回路は、さらに所定の周期、所定の期間、および／または所定の送信時間でスケジューリング情報を送信するように構成され得る。
【００７６】
上記回路は、さらに少なくとも１つのユーザ機器にサービスを行う少なくとも１つのエンティティのためのスケジューリング情報がシステム情報に含まれることを示す指示情報を送信するように構成され得る。
【００７７】
指示情報はシステム情報のマスタ情報ブロックに含まれ得る。
【００７８】
スケジューリング情報はシステム情報のシステム情報ブロックに含まれ得る。
【００７９】
スケジューリング情報は少なくとも第１のパートと第２のパートに分けられ得る。
【００８０】
第１のパートは、第２のパートの送信のタイムスケジュールに関する情報を含み得る。
【００８１】
第１のパートはシステム情報のマスタ情報ブロックに含まれ、第２のパートはシステム情報のシステム情報ブロックに含まれ得る。
【００８２】
第１のパートは、システム情報ブロック情報の送信のタイムスケジュールを示し得る。
【００８３】
第１のパートは、システム情報ブロックのビットのタイムスケジュールを示し得る。
【００８４】
スケジューリング情報はアンカーエンティティのブロードキャストチャネルを通して送信され得る。ブロードキャストチャネルは所定の識別子を有する。
【００８５】
所定の識別子はシステム情報エリア識別子であり得る。
【００８６】
システム情報エリア内のすべてのユーザ機器は共通の識別子を有し、スケジューリング情報は、共通の識別子を有するユーザ機器宛となり得る。
【００８７】
図１はＲＡＮ１を示す。ＲＡＮ１はマクロセル２を有する。マクロセル２はＬＴＥ  ｅＮｏｄｅＢ  ３によって確立される。ＬＴＥ  ｅＮｏｄｅＢ  ３はアンカーエンティティの例である。さらに、３つのピコセル４ａ、４ｂ、４ｃが設けられる。これらはそれぞれＮＲ  ｅＮｏｄｅＢ  ５ａ、５ｂ、５ｃによって確立される。ＮＲセル４ａから４ｃは、１つのＣＵ（セントラルユニット）と接続する複数のＴＲＰ／ＤＵ（送受信点／分散ユニット）も含み得る。
【００８８】
ＵＥ６はＬＴＥ  ｅＮｏｄｅＢ  ３と通信することができる。ＵＥ６がピコセル４ａ、４ｂ、４ｃのうちの１つの中にある限りにおいて、ＵＥ６はそれぞれ関連するＮＲ  ｅＮｏｄｅＢ  ５ａ、５ｂ、５ｃと通信することができる。
【００８９】
本実施形態において、上記のように、ＬＴＥ  ｅＮｏｄｅＢ  ３及びＮＲ  ｅＮｏｄｅＢ  ５ａ、５ｂ、５ｃはシステム情報エリアを構成してもよい。システム情報エリアは固有の識別子を有してもよく、それに基づきシステム情報エリアが識別可能となる。
【００９０】
ＵＥ６は移動することができ（破線の矢印参照）、この単純な移動経路では、ＵＥ６は３つのＮＲセル４ａから４ｃの複数のＮＲスモールセルの通信可能範囲を通るが、依然として同じＬＴＥセル２の通信可能範囲の範囲内に留まっている。
【００９１】
以下の実施形態において述べるエンティティは、システム情報を送信するためのアンカー機能を有していない。
【００９２】
アンカーＳＩエンティティを使用しないでシステム情報（ＳＩ）を提供する際は、例えばＬＴＥ  ｅＮｏｄｅＢ  ３やＮＲセル４ａから４ｃ等の各エンティティ／セルが各自で、最小限のＳＩおよび他のＳＩ（またはオンデマンドＳＩ）を含むシステム情報をブロードキャスト送信する。
【００９３】
通常、いくつかの実施形態において、他のＳＩのブロードキャスト送信のスケジューリング情報は、周期性（例えば８０ｍｓ、１６０ｍｓ）、期間（周期数。例えば１、２、または４周期）、及び潜在送信時間（送信開始点）を含む。
【００９４】
例えば、他のシステム情報が至急必要というわけでは無い場合は、ブロードキャスト送信された他のＳＩの通知期間が存在し得る。このような通知期間は事前に定義・指示されることができ、ＭＩＢにおいて変更され得る。そして、送信時間は、どのくらいの通知期間の後にＳＩの送信が開始されるかを示す。以下の説明によって明らかになるように、ＳＩの送信の開始時間は他の形によって示されても良い。
【００９５】
現在、ＮＲにおいて最小限のＳＩをどのように送信するかについての定義はない。例えば、前述したように、ＬＴＥでは、ブロードキャストチャネルＰＢＣＨ（物理ブロードキャストチャネル）で送信されるＭＩＢと、共有チャネルＰＤＳＣＨ（物理ダウンリンク共有チャネル）で送信されるＳＩＢｘとがある。
【００９６】
ＮＲの場合、ブロードキャストチャネルおよび共有チャネル上で最小限のＳＩが分離送信されてもよく、スケジューリング情報を送信するための以下の実施形態がサポートされてもよい。
【００９７】
図２に示されるように、一実施形態では、オンデマンドＳＩのスケジューリング情報は、ＭＩＢ系システム情報に含まれている。これは１０においてＬＴＥ  ｅＮｏｄｅＢ  ３によって送信され、１１においてＮＲ  ｅＮｏｄｅＢ５によって送信され、それに応じてＵＥによって受信される。
【００９８】
この実施形態では、オンデマンドで送信可能な全てのＳＩＢ候補について、それぞれのＳＩＢに対してケジューリングリストが提供される。ＳＩＢの一部のビットがブロードキャスト送信される予定でない場合でも、対応するスケジューリング情報が提供される。メッセージサイズを最小化するために、さらに最適化することも検討されることができる。いくつかの実施形態では、これはＭＩＢ系サイズが増大することを犠牲にして、対応するスケジューリング情報の取得を速めるための方法である。
【００９９】
本実施形態は、ＭＩＢに基づいて例示的に示されているが、より一般的には、システム情報は常に、予め定められた期間において、固定されたリソース割り当てで、潜在的には固定されたサイズで送信されてもよい。さらに、これは最小限のＳＩにも利用されてもよい。
【０１００】
図３に示されるように、ほかの実施形態においては、オンデマンドＳＩのスケジューリング情報の一部（第１のパート）はＭＩＢ系システム情報に含まれ、スケジューリング情報の他の一部（第２のパート）または他のすべての部分はＳＩＢ１系システム情報に含まれる。
【０１０１】
例えば、ＭＩＢ系システム情報は１３においてＬＴＥ  ｅＮｏｄｅＢ  ３によって送信され、１５においてＮＲ  ｅＮｏｄｅＢ  ５によって送信される一方、ＳＩＢ１系システム情報は１４においてＬＴＥ  ｅＮｏｄｅＢ  ３によって送信され、１６においてＮＲ  ｅＮｏｄｅＢ  ５によって送信される。
【０１０２】
例えば、ビットマップはＭＩＢ系ＳＩに含まれ、どのＳＩＢが早期にブロードキャスト送信されるのかを示す。詳細なスケジューリング情報はＳＩＢ１系ＳＩによって示される。
【０１０３】
本実施形態において、ＵＥはブロードキャスト予定のＳＩＢｓ／ＳＩメッセージの情報を取得し、対応するスケジューリング情報を受信するかどうかＵＥが判断する。つまり、ＵＥ６は１４及び１６で送信されたメッセージを受信するかどうか判断する。
【０１０４】
本実施形態は、オンデマンドＳＩ送信の特徴を考慮している。すべてのＵＥがすべてのオンデマンドＳＩ送信に注目しているわけではない。もしとあるＵＥがＭＩＢにおいて注目しているＳＩのスケジューリング情報を事前に取得できる場合、ＵＥは続く詳細なスケジューリング情報を読み取ってもよいし、そのスケジューリング情報を無視してもよい。したがって、この実施形態では、スケジューリングの柔軟性と、ＭＩＢ系ＳＩにおける制御シグナリングのオーバーヘッドとの間のトレードオフを考慮する。
【０１０５】
他の例として、他のＳＩを、すべてのＵＥ用の他のＳＩと、所定のＵＥ用の他のＳＩにさらに分けることもできる。従って、例えば、ビットマップはＡＬＬ−ＵＥ−ＳＩＢ−ＢＩＴＭＡＰとＳＯＭＥ−ＵＥ−ＳＩＢ−ＢＩＴＭＡＰに分けてもよい。
【０１０６】
もし、すべてのＵＥに提供されるＳＩＢがブロードキャスト送信される場合、ＡＬＬ−ＵＥ−ＳＩＢ−ＢＩＴＭＡＰにおける対応するビットが設定される。この指示によって、ＵＥはＳＩＢを受信予定かどうか判断することができる。これはマルチステージスケジューリングと呼ばれる場合もある。
【０１０７】
他の実施形態では、ＳＩＢの変化（どのＳＩＢが変わるか）を示す、いわゆるＶａｌｕｅタグをＭＩＢにも含めることもできる。上述したように、このＳＩＢの変化が全てのＵＥに関係するのか、一部のもしくは特定のＵＥに関係するのかを示す分離指示を含めることができる（例えばＡＬＬ−ＵＥ−ＳＩＢ−ＣＨＡＮＧＥ−ＢＩＴＭＡＰとＳＯＭＥ−ＵＥ−ＳＩＢ−ＣＨＡＮＧＥ−ＢＩＴＭＡＰ）。
【０１０８】
本実施形態ではＳＩＢ１システム情報に基づいて説明を行ったが、より一般的には、システム情報は特定の周期で、適応リソース割り当てを用いて動的サイズで送信される可能性もある。さらに、これは最小限のＳＩにも利用されてもよい。
【０１０９】
他の実施形態では、オンデマンドＳＩのスケジューリング情報は、ＳＩＢ１系システム情報に含まれている。これは１４'で示されるように、ＬＴＥ  ｅＮｏｄｅＢ  ３によって送信され、１６'で示されるようにＮＲ  ｅＮｏｄｅＢ  ５によって送信される。
【０１１０】
当然、図２、３を参照して説明した実施形態は、アンカーエンティティが提供される実施形態にも適用される。
【０１１１】
以下では、ＵＥがスケジューリング情報を見逃した場合に関する実施形態について述べる。
【０１１２】
上述したように、原則としてＵＥ６はＳＩ要求を送信する前に、想定するＳＩが使用可能かどうか確認しなければならない。しかし、スケジューリング情報がＳＩ要求の直後に送信されたり、ＵＥ６が最新の更新を見逃したりして、更新されたＳＩを受信するために次の期間まで待たなければならない場合などでは、ＵＥ６がスケジューリング情報を見逃すことも可能である。
【０１１３】
このような場合、基本的にネットワークは専用のシグナリングを介して、要求されたＳＩの送信を防ぐため、ＵＥに対する通知を行わなければならない。以下では、この事項に関するいくつかの実施形態について述べる。原則として、ＵＥ自体がＭＩＢ系／ＳＩＢ系ブロックにおいて更新されたブロードキャスト情報を受信するまで、ネットワークは何も行わない。
【０１１４】
図４にも示されるように、一実施形態において、例えば２０でのＬＴＥ  ｅＮｏｄｅＢ  ３および／または２１でのＮＲ  ｅＮｏｄｅＢ  ５等のネットワークはＵＥ６に、２２において  ＬＴＥ  ｅＮｏｄｅＢ  ３によって送信された対応するブロードキャスト情報および２３においてＮＲ  ｅＮｏｄｅＢ  ５によって送信された対応するブロードキャスト情報を読み取るよう通知する。
【０１１５】
具体的には、例えばＵＥ６は、１９において、ＬＴＥ  ｅＮｏｄｅＢ  ３および／またはＮＲ  ｅＮｏｄｅＢ  ５に対してＳＩ要求メッセージを送信する。ＵＥの状態に応じて１９で送信されたＵＥ６からのＳＩ要求に続く応答メッセージ２０および／または２１においては、２２および／または２３で送信されたブロードキャスト情報を読み取るようＵＥ６に要求する指示が含まれる。
【０１１６】
例えば、ＵＥ６がＲＲＣ＿ＣＯＮＮＥＣＴＥＤ  ＵＥの場合、例えば上記指示はＲＲＣメッセージに含まれ運ばれる。ＲＲＣ＿ＩＤＬＥまたはＲＲＣ＿ＩＮＡＣＴＩＶＥ  ＵＥの場合、上記指示は例えばＲＡＣＨメッセージによって運ばれる。この指示により、ＵＥ６は２２および／または２３においてブロードキャスト情報に含まれるスケジューリング情報を受信する。
【０１１７】
他の実施形態として図５に示されるように、ＵＥ６は３０において、ＬＴＥ  ｅＮｏｄｅＢ  ３および／またはＮＲ  ｅＮｏｄｅＢ  ５に対してＳＩ要求を送信する。例えば、ＬＴＥ  ｅＮｏｄｅＢ  ３および／またはＮＲ  ｅＮｏｄｅＢ  ５等のネットワークはＵＥ６によるＳＩ要求に続く応答メッセージにおいて、ＵＥ６に対して要求されたＳＩの対応するスケジューリング情報を通知する。この応答メッセージは、例えば３１、３２においてＬＴＥ  ｅＮｏｄｅＢ  ３および／またはＮＲ  ｅＮｏｄｅＢ  ５によって送信される。上記のように、本実施形態では、指示の代わりに、３１および／または３において送信された応答メッセージに、固有のスケジューリング情報を含める。
【０１１８】
他の実施形態として図６に示されるように、ネットワークは、ページングメッセージまたはＭＩＢと同様に、ＲＡＮベース通知エリア等の共通ＩＤによってアドレス指定することができるブロードキャストチャネルによってＵＥ６に通知を行う。３４においてＬＴＥ  ｅＮｏｄｅＢ  ３によって送信されるメッセージおよび／または３５においてＮＲ  ｅＮｏｄｅＢ  ５によって送信されるメッセージ内では、ＵＥ６に対応するスケジューリング情報を読み取るように依頼する指示が設定される。
【０１１９】
この指示は、システム情報の変更と現在のページングメッセージでは異なる。
【０１２０】
この実施形態は、あるＳＩＢが既にスケジュールされた後、３３においてネットワークがＳＩ要求を連続的に受信する場合に採用され得る。
【０１２１】
他の実施形態として図７に示されるように、ＵＥ６は３６において、ＳＩ要求と一緒にチャネル品質、通信可能範囲、ブロック誤り率（ＢＬＥＲ）等を送信する。
【０１２２】
これを受信した後、例えば、ＬＴＥ  ｅＮｏｄｅＢ  ３および／またはＮＲ  ｅＮｏｄｅＢ  ５等のネットワークは、これに応じて冗長レベル、周期性および／またはＳＩＢ送信開始点を調整し得る。または、それぞれ３７および／または３８において特定のＵＥ６に対するビームフォーミングによってブーストを行い得る。
【０１２３】
以下では、ＬＴＥ  ｅＮｏｄｅＢ  ３等のアンカーエンティティを用いる実施形態について述べる。
【０１２４】
アンカーエンティティがＳＩを送信またはブロードキャスト送信する実施形態において、アンカーエンティティはそれぞれ個別のエンティティに代わり、スケジューリング情報も送信することができる。例えば、ＬＴＥ  ｅＮｏｄｅＢ  ３（図１）は、ＮＲ  ｅＮｏｄｅＢ  ５ａから５ｃのためのスケジューリング情報も送信する。
【０１２５】
上記のように、もしオンデマンドＳＩがアンカーＳＩエンティティにおいてのみスケジュールされる場合は、図２、３で示した上記の実施形態はアンカーＳＩエンティティに適用することができる。
【０１２６】
以下では、ＬＴＥ  ｅＮｏｄｅＢ  ３やＮＲ  ｅＮｏｄｅＢ  ５のように、独立したエンティティにおいてのみオンデマンドＳＩがスケジュールされる実施形態について述べる。
【０１２７】
一実施形態では、図８にも示すように、ＬＴＥ  ｅＮｏｄｅＢ  ３によって確立されたアンカーセル２のＭＩＢ系ＳＩに、他セル（例えば、図１の４ａ、４ｂまたは４ｃ）のスケジューリング情報の指示を設定し、セルＩＤ、ＳＩＢ識別子、周期性等のオンデマンドＳＩのスケジューリング情報は、例えば本実施形態においてはＬＴＥ  ｅＮｏｄｅＢ  ３であるアンカーエンティティによって４０において送信されたアンカーセルのＳＩＢ１系システム情報に含まれる。
【０１２８】
ＭＩＢ系ＳＩにおける指示は、他のＳＩスケジューリングが存在することのみを示し、他の情報に関して示すことはない。例えば、どのセル、どの種のＳＩＢがスケジュールされるかについては示されない。例えば４１において、ＳＩ要求の送信を希望するＵＥ６または既にＳＩ要求を送信したＵＥ６は、自ら確認を行わなければならない。
【０１２９】
図９に示すように、他の実施形態においては、スケジューリング情報の一部（第１のパート）はアンカーエンティティ（例えばＬＴＥ  ｅＮｏｄｅＢ  ３）によって確立されたアンカーセル２から４５において送信されたＭＩＢ系ＳＩに含まれ、詳細なスケジューリング情報はアンカーセル２（アンカーエンティティ３）から４５において送信されたＳＩＢ１系ＳＩに含まれる。
【０１３０】
ＭＩＢ系ＳＩに含まれる情報は、スケジュール済のＳＩＢおよび対応するセルＩＤ等のためのスケジューリング情報である。ＵＥ６は、ＭＩＢ系ＳＩ中の指示に応じて、対応する詳細なスケジューリング情報を受信するかどうか判断することができる。この基本的な設計原理は、上記において図３を参照しながら説明した原理に対応する。
【０１３１】
他の実施形態として図１０に示されるように、スケジューリング情報は、上記のシステム情報エリア識別子等の共通ＩＤによってアドレス指定される、例えばＬＴＥ  ｅＮｏｄｅＢ  ３等のアンカーエンティティのブロードキャストチャネルを通して５０においてブロードキャスト送信される。
【０１３２】
対応するスケジューリング情報は固有のブロードキャストチャネルを介して５０において送信され、例えばシステム情報エリア等の固有のエリア内のすべてのＵＥ６は共通ＩＤを共有し、これによって通知メッセージを受信することができる。
【０１３３】
いくつかの実施形態は、将来の通信システムのためのシステム情報の送受信に焦点を当てている。上記のいくつかの実施形態による方法を用いれば、システム情報を受信するためのシグナリングオーバーヘッドを減らすことができ、ＳＩ送受信効率を向上することができる。
【０１３４】
以下では、汎用コンピュータ１３０の実施形態について図１１を参照しながら説明する。コンピュータ１３０は、基本的に本明細書において述べた各種のエンティティ、基地局、新規の無線基地局、送受信点、またはユーザ機器として機能するように構成されることができる。コンピュータは構成要素１３１から１４０を有し、これらは、本明細書において述べたエンティティ、基地局、ユーザ機器の回路のうちずれか１つの回路を形成することができる。
【０１３５】
本明細書に記載の方法を実施するためのソフトウエア、ファームウエア、プログラム等を用いた実施形態はコンピュータ１３０にインストールすることができ、コンピュータ１３０は具体的な実施形態に適合するように構成される。
【０１３６】
コンピュータ１３０は中央処理装置（ＣＰＵ）１３１を有する。ＣＰＵ１３１は例えばプログラムに応じて本明細書に記載された様々な手順や方法を実行することができる。このプログラムは、ＲＯＭ（read-only memory）１３２に記憶されたり、記憶部１３７に記憶されＲＡＭ（random access memory）１３３にロードされたり、各種ドライブ１３９等に挿入可能な媒体１４０に記憶されたりする。
【０１３７】
ＣＰＵ１３１、ＲＯＭ１３２、およびＲＡＭ１３３は、バス１４１を介して接続されている。また、このバス１３４には入出力インタフェース１３４が接続されている。ＣＰＵ、メモリおよび記憶装置の数は単に例示的なものであり、コンピュータ１３０は、それが基地局およびユーザ装置として機能するときに生じる特定の要件を満たすように適応および構成することができることを当業者は理解している。
【０１３８】
入出力インターフェース１３４には、いくつかの構成要素が接続される。この構成要素は、入力部１３５、出力部１３６、記憶部１３７、通信インターフェース１３８、ドライブ１３９を含む。ドライブ１３９には媒体１４０（コンパクトディスク、デジタルビデオディスク、コンパクトフラッシュ（登録商標）メモリ等）を挿入することができる。
【０１３９】
入力部１３５は、ポインタデバイス（マウス、グラフィックテーブル、等）、キーボード、マイク、カメラ、タッチパネル等であり得る。
【０１４０】
出力部１３６は、ディスプレイ（液晶ディスプレイ、ブラウン管ディスプレイ、ＬＥＤディスプレイ等）、スピーカー等を含む。
【０１４１】
記憶部１３７はハードディスク、半導体ドライブ等を有する。
【０１４２】
通信インターフェース１３８は、例えばローカルエリアネットワーク（ＬＡＮ）、無線ローカルエリアネットワーク（ＷＬＡＮ）、移動通信システム（ＧＳＭ（登録商標）、ＵＭＴＳ、ＬＴＥ等）、Ｂｌｕｅｔｏｏｔｈ（登録商標）、赤外線等を介して通信を行うように構成されることができる。
【０１４３】
なお、上記の記載はコンピュータ１３０の構成例にのみに関する。追加または他のセンサ、記憶デバイス、インターフェース等を用いた他の構成も実施され得る。例えば、通信インターフェース１３８は上記ＵＭＴＳ及びＬＴＥ以外の無線アクセス方式をサポートしてもよい。
【０１４４】
コンピュータ１３０が基地局として機能する場合、通信インターフェース１３８は、さらに、それぞれの無線インターフェース（Ｅ−ＵＴＲＡプロトコルなどのＯＦＤＭＡ（ダウンリンク）およびＳＣ−ＦＤＭＡ（アップリンク）を提供する）およびネットワークインターフェース（例えばＳ１−ＡＰ、ＧＴＰ−Ｕ、Ｓ１−ＭＭＥ、Ｘ２−ＡＰ等のプロトコルを実装する）を有することができる。さらに、コンピュータ１３０は１以上のアンテナおよび／またはアンテナアレーを含み得る。本開示はこのようなプロトコルのどのような特性にも限定されない。
【０１４５】
本明細書において説明される方法は、いくつかの実施形態では、コンピュータ、プロセッサおよび／または回路が、コンピュータ、プロセッサおよび／または回路上においてその方法を実行するためのコンピュータプログラムとして実装される。いくつかの実施形態では、上述したようなプロセッサおよび／または回路のようなプロセッサおよび／または回路によって、本明細書で説明される方法を実行させるコンピュータプログラムを内部に格納する、非一過性のコンピュータ読み取り可能な記録媒体も提供される。
【０１４６】
実施形態は、方法ステップの例示的な順序付けを有する方法を記述していると認識されるべきである。しかしながら、方法ステップの特定の順序付けは、説明のためにのみ挙げられており、拘束力のあるものとして解釈されるべきではない。例えば、図２から１２に記載の順序は入れ替え可能である。
【０１４７】
なお、図１１における、制御または回路を構成要素１３１から１４０に分離しているのは単に説明の便宜上行ったものであり、本開示はこれらの機能の特定の構成要素への分割には限定されない。例えば、回路の少なくとも一部が各プログラム式プロセッサ、ＦＰＧＡ（field programmable gate array）、専用回路等によって実装されてもよい。
【０１４８】
本明細書及び添付の特許請求の範囲に記載されるすべてのユニットおよびエンティティは、別段の記載がない限り、例えばオンチップ論理集積回路として実装することができ、このようなユニットおよびエンティティによって提供される機能は、別段の記載がない限り、ソフトウェアによって実装することができる。
【０１４９】
上述の開示の実施形態の少なくとも一部が、ソフトウェア制御データ処理装置を使用して実施される限り、このようなソフトウェア制御を提供するコンピュータプログラムと、このようなコンピュータプログラムが提供される送信、記憶または他の媒体とが、本開示の態様として想定される。
【０１５０】
なお、本技術は、以下のような構成をとることも可能である。
（１）
少なくとも１つのユーザ機器にサービスを行う少なくとも１つのエンティティを含む移動通信システムのための移動通信システムエンティティであって、
前記少なくとも１つのユーザ機器が要求し得るオンデマンドシステム情報のためのスケジューリング情報を送信するように構成された回路
を備える移動通信システムエンティティ。
（２）
前記回路はさらに、所定の周期で前記スケジューリング情報を送信するように構成された、
（１）に記載の移動通信システムエンティティ。
（３）
前記回路はさらに、所定の期間において前記スケジューリング情報を送信するように構成された、
（１）または（２）に記載の移動通信システムエンティティ。
（４）
前記回路はさらに、所定の送信時間に前記スケジューリング情報を送信するように構成された、
（１）から（３）のいずれか１つに記載の移動通信システムエンティティ。
（５）
前記回路はさらに、システム情報に含まれる前記スケジューリング情報を送信するように構成された、
（1）から（４）のいずれか１つに記載の移動通信システムエンティティ。
（６）
前記スケジューリング情報は前記システム情報のマスタ情報ブロックに含まれる、
（５）に記載の移動通信システムエンティティ。
（７）
前記スケジューリング情報は前記システム情報のシステム情報ブロックに含まれる、
（５）または（６）に記載の移動通信システムエンティティ。
（８）
前記スケジューリング情報は少なくとも第１のパートと第２のパートに分かれている、
（１）から（７）のいずれか１つに記載の移動通信システムエンティティ。
（９）
前記第１のパートは、前記第２のパートの送信のタイムスケジュールに関する情報を含む、
（８）に記載の移動通信システムエンティティ。
（１０）
前記第１のパートはシステム情報のマスタ情報ブロックに含まれ、前記第２のパートは前記システム情報のシステム情報ブロックに含まれる、
（８）または（９）に記載の移動通信システムエンティティ。
（１１）
前記第１のパートは、システム情報ブロック情報の送信のタイムスケジュールを示す、
（１０）に記載の移動通信システムエンティティ。
（１２）
前記第１のパートは、前記システム情報ブロックのビットのタイムスケジュールを示す、
（１０）または（１１）に記載の移動通信システムエンティティ。
（１３）
前記回路はさらに、前記システム情報がすべてのユーザ機器宛か、特定のユーザ機器宛かを示す情報を送信するように構成された、
（１）から（１２）のいずれか１つに記載の移動通信システムエンティティ。
（１４）
前記回路はさらに、システム情報ブロックの変化を示す情報を送信するように構成された、
（１）から（１３）のいずれか１つに記載の移動通信システムエンティティ。
（１５）
前記情報はマスタ情報ブロックに含まれる、
（１４）に記載の移動通信システムエンティティ。
（１６）
前記回路はさらに、前記システム情報ブロックの変化がすべてのユーザ機器宛か、特定のユーザ機器宛かを示す情報を送信するように構成された、
（１４）または（１５）に記載の移動通信システムエンティティ。
（１７）
前記スケジューリング情報はシステム情報ブロックにおいて送信される、
（１）から（１６）のいずれか１つに記載の移動通信システムエンティティ。
（１８）
少なくとも１つのユーザ機器にサービスを行う少なくとも１つのエンティティを含む移動通信システムのための移動通信システムエンティティであって、
ユーザ機器からのシステム情報の要求に応じて、前記ユーザ機器にブロードキャスト情報を受信するよう指示する指示情報を送信するように構成された回路
を備える移動通信システムエンティティ。
（１９）
前記ブロードキャスト情報はスケジューリング情報を含む、
（１８）に記載の移動通信システムエンティティ。
（２０）
前記指示情報は、前記ユーザ機器の接続状態に基づき送信される、
（１８）または（１９）に記載の移動通信システムエンティティ。
（２１）
前記ユーザ機器が無線リソース制御接続状態のとき、前記指示情報が無線リソース制御メッセージで送信される、
（２０）に記載の移動通信システムエンティティ。
（２２）
前記ユーザ機器が無線リソース制御不能状態または待機状態にあるとき、前記指示情報はランダムアクセスチャネルメッセージで送信される、
（２０）に記載の移動通信システムエンティティ。
（２３）
少なくとも１つのユーザ機器にサービスを行う少なくとも１つのエンティティを含む移動通信システムのための移動通信システムエンティティであって、
ユーザ機器からのシステム情報の要求に応じて、前記ユーザ機器にスケジューリング情報を送信するように構成された回路
を備える移動通信システムエンティティ。
（２４）
少なくとも１つのユーザ機器にサービスを行う少なくとも１つのエンティティを含む移動通信システムのための移動通信システムエンティティであって、
ユーザ機器からのシステム情報の要求に応じて、前記ユーザ機器にスケジューリング情報を受信するよう指示する指示情報をブロードキャストチャネルを通して送信するように構成された回路
を備える移動通信システムエンティティ。
（２５）
前記ブロードキャストチャネルは無線アクセスネットワークエリアに基づきアドレス指定されるか、前記ブロードキャストチャネルはマスタ情報ブロックにおいてアドレス指定される
（２４）に記載の移動通信システムエンティティ。
（２６）
前記回路はさらに、前記少なくとも１つのユーザ機器に前記スケジューリング情報を読み取るように指示する情報を送信するように構成された、
（２４）または（２５）に記載の移動通信システムエンティティ。
（２７）
少なくとも１つのユーザ機器にサービスを行う少なくとも１つのエンティティを含む移動通信システムのための移動通信システムエンティティであって、
前記少なくとも１つのユーザ機器からのシステム情報要求を受信し、チャネル品質、通信可能範囲、およびブロック誤り率情報のうちの少なくとも１つを受信し、
冗長レベル、送信周期、送信開始点のうちの少なくとも１つを調節し、前記少なくとも１つのユーザ機器のためにビームフォーミングを用いてブーストを行うように構成された回路
を備える移動通信システムエンティティ。
（２８）
少なくとも１つのユーザ機器にサービスを行う少なくとも１つのエンティティを含む移動通信システムアンカーエンティティであって、
前記少なくとも１つのユーザ機器によって要求されることができ、前記少なくとも１つのユーザ機器にサービスを行う前記少なくとも１つのエンティティによって送信されるオンデマンドシステム情報のためのスケジューリング情報を送信するように構成された回路
を備える
移動通信システムアンカーエンティティ。
（２９）
前記回路はさらに、所定の周期で前記スケジューリング情報を送信するように構成された、
（２８）に記載の移動通信システムアンカーエンティティ。
（３０）
前記回路はさらに、所定の期間において前記スケジューリング情報を送信するように構成された、
（２８）または（２９）に記載の移動通信システムアンカーエンティティ。
（３１）
前記回路はさらに、所定の送信時間に前記スケジューリング情報を送信するように構成された、
（２８）から（３０）のいずれか１つに記載の移動通信システムアンカーエンティティ。
（３２）
前記回路はさらに、前記少なくとも１つのユーザ機器にサービスを行う前記少なくとも１つのエンティティのための前記スケジューリング情報がシステム情報に含まれることを示す指示情報を送信するように構成された、
（２８）から（３１）のいずれか１つに記載の移動通信システムアンカーエンティティ。
（３３）
前記指示情報は前記システム情報のマスタ情報ブロックに含まれる、
（３２）に記載の移動通信システムアンカーエンティティ。
（３４）
前記スケジューリング情報は前記システム情報のシステム情報ブロックに含まれる、
（３２）または（３３）に記載の移動通信システムアンカーエンティティ。
（３５）
前記スケジューリング情報は少なくとも第１のパートと第２のパートに分かれている、
（２８）から（３４）のいずれか１つに記載の移動通信システムアンカーエンティティ。
（３６）
前記第１のパートは、前記第２のパートの送信のタイムスケジュールに関する情報を含む、
（３５）に記載の移動通信システムアンカーエンティティ。
（３７）
前記第１のパートはシステム情報のマスタ情報ブロックに含まれ、前記第２のパートは前記システム情報のシステム情報ブロックに含まれる、
（３５）または（３６）に記載の移動通信システムアンカーエンティティ。
（３８）
前記第１のパートは、システム情報ブロック情報の送信のタイムスケジュールを示す、
（３７）に記載の移動通信システムアンカーエンティティ。
（３９）
前記第１のパートは、前記システム情報ブロックのビットのタイムスケジュールを示す、
（３７）または（３８）に記載の移動通信システムアンカーエンティティ。
（４０）
前記スケジューリング情報は前記アンカーエンティティのブロードキャストチャネルを通して送信され、前記ブロードキャストチャネルは所定の識別子を有する、
（２８）から（３９）のいずれか１つに記載の移動通信システムアンカーエンティティ。
（４１）
前記所定の識別子はシステム情報エリア識別子である、
（４０）に記載の移動通信システムアンカーエンティティ。
（４２）
前記システム情報エリア内のすべてのユーザ機器は共通の識別子を有し、前記スケジューリング情報は、前記共通の識別子を有する前記ユーザ機器宛となる、
（４１）に記載の移動通信システムアンカーエンティティ。
【符号の説明】
【０１５１】
１…ＲＡＮ
２…マクロセル
３…ＬＴＥ  ｅＮｏｄｅＢ
４…ピコセル
５…ＮＲ  ｅＮｏｄｅＢ
６…ＵＥ
【図１】
2020500471.tif 000003
【図２】
2020500471.tif 000004
【図３】
2020500471.tif 000005
【図４】
2020500471.tif 000006
【図５】
2020500471.tif 000007
【図６】
2020500471.tif 000008
【図７】
2020500471.tif 000009
【図８】
2020500471.tif 000010
【図９】
2020500471.tif 000011
【図１０】
2020500471.tif 000012
【図１１】
2020500471.tif 000013
【国際調査報告】
2020500471.tif 000014
2020500471.tif 000015
2020500471.tif 000016
2020500471.tif 000017
2020500471.tif 000018
2020500471.tif 000019
2020500471.tif 000020